(57)【要約】      （修正有）【課題】高価な金型をもつ大型の鍛造機又は熱間鍛造により成形する必要をなくし、安価で製作容易なガイドパイプ組品のケーシングキャップを提供する。【解決手段】ガイドパイプ組品のケーシングキャップ２を、筒状の先端側キャップ部２１ａと筒状の後端側キャップ部２１ｂと両キャップ部を連通連結する中間鍔部２１ｃとでなる一体のケーシングキャップ本体２１と、先端側キャップ部２１ａ外周に嵌合されると共に支持部材に支持される環状の凹溝２２ａを有する筒状ソケット体２２との二部材から構成する。ソケット体２２をケーシングキャップ本体２１の先端側キャップ部２１ａに先端側から嵌入してソケット体が中間鍔部２１ｃに当接した状態で溶接や圧入固定などの固定手段によりケーシングキャップ本体とソケット体とを固定する。【選択図】図２
0003194247.tif 000002
【実用新案登録請求の範囲】
【請求項１】
支持部材Ａに長さ方向中間部が支持される筒状のケーシングキャップ２と、該キャップ２の先端側キャップ部２１ａ内に後端部分が挿嵌されかつ先端側キャップ部２１ａの円周カシメによりカシメ止めされるガイドパイプ３と、ガイドパイプ３とケーシングキャップ２とのカシメ部分周囲に被着される防水兼防塵用のゴムシール部材４とを備えたガイドパイプ組品のケーシングキャップであって、ケーシングキャップ２が、筒状の先端側キャップ部２１ａと筒状の後端端側筒状キャップ部２２ｂとこれら両キャップ部２１ａ，２１ｂを連通連結する中間鍔部２１ｃとでなる一体のケーシングキャップ本体２１と、先端側キャップ部２１ａ外周に嵌合されると共に支持部材Ａに支持される環状の凹溝２２ａを有する筒状ソケット体２２との二部材からなり、ソケット体２２がケーシングキャップ本体２１の先端側キャップ部２１ａにその先端側から嵌入されてソケット体２２が中間鍔部２１ｃに当接した状態で溶接や圧入固定などの固定手段によりケーシングキャップ本体２１とソケット体２２とが固定されていることを特徴とするガイドパイプ組品のケーシングキャップ。
【請求項２】
ソケット体２２が合成樹脂、ゴム等の非金属により形成されていることを特徴とする請求項１記載のガイドパイプ組品のケーシングキャップ。
【考案の詳細な説明】
【技術分野】
【０００１】  本考案は、主として自動車部品として用いられる、操作用ワイヤーなどのガイドパイプ組品のケーシングキャップに関するものである。
【背景技術】
【０００２】  従来、この種のガイドパイプ組品は、図３に示すように例えばミッションケースなどの支持部材（図示せず）に長さ方向中間部が支持されるソケット部１２ｃを一体に有する筒状のケーシングキャップ１２と、ケーシングキャップ１２の先端側キャップ部１２ａ内に後端部分が挿嵌されかつ該キャップ部１２ａの円周カシメによりカシメ止めされるガイドパイプ１３と、ガイドパイプ１３と先端側キャップ部１２ａとのカシメ部分周囲に被着される防水兼防塵用のゴムシール部材１４とを備えている。【０００３】  なお、上記ゴムシール部材１４による防水兼防塵効果を高めるために、ゴムシール部材１４をカシメ部分周囲に被着させるだけでなく、ゴムシール部材１４のガイドパイプ１３側一端部の外周とキャップ部１２ａ側他端部の外周とを、それぞれ金属製のカシメリング１５，１５ａで締め付けるようにしている。
【考案の概要】
【考案が解決しようとする課題】
【０００４】  ところで、上記した従来のガイドパイプ組品１０のソケット部１２ｃを有するケーシングキャップ１２の製造方法としては、一般に多段式鍛造機を用いて金型による鍛造工程によって一体成形により形成している。しかし、このケーシングキャップ１２を多段式鍛造機により一体成形する場合、ソケット部１２ｃは大径でその中間部には環状の深い凹溝１２ｄがあり、加えてケーシングキャップ１２全体としての形状が非常に複雑であることから、大型の鍛造機又は熱間鍛造により成形する必要があった。また、全体としての形状が非常に複雑であることから、寸法精度の高い鍛造が困難であり、その上、金型が高価で寿命も短く、そのため全体として不経済でコスト高となる問題を有していた。【０００５】  そこで本考案は、ソケット部を有する複雑な形状のケーシングキャップを二部材により構成することにより、高価な金型をもつ大型の鍛造機又は熱間鍛造により成形する必要をなくし、安価で製作容易なガイドパイプ組品のケーシングキャップの提供を課題とする。
【課題を解決するための手段】
【０００６】  上記した問題を解決するため、本願の請求項１記載の考案は、支持部材Ａに長さ方向中間部が支持される筒状のケーシングキャップ２と、該キャップ２の先端側キャップ部２１ａ内に後端部分が挿嵌されかつ先端側キャップ部２１ａの円周カシメによりカシメ止めされるガイドパイプ３と、ガイドパイプ３とケーシングキャップ２とのカシメ部分周囲に被着される防水兼防塵用のゴムシール部材４とを備えたガイドパイプ組品のケーシングキャップであって、ケーシングキャップ２が、筒状の先端側キャップ部２１ａと筒状の後端端側筒状キャップ部２２ｂとこれら両キャップ部２１ａ，２１ｂを連通連結する中間鍔部２１ｃとでなる一体のケーシングキャップ本体２１と、先端側キャップ部２１ａ外周に嵌合されると共に支持部材に支持される環状の凹溝２２ａを有する筒状ソケット体２２との二部材からなり、ソケット体２２がケーシングキャップ本体２１の先端側キャップ部２１ａにその先端側から嵌入されてソケット体２２が中間鍔部２１ｃに当接した状態で溶接や圧入固定などの固定手段によりケーシングキャップ本体２１とソケット体２２とが固定されていることを特徴とする。
なお、圧入固定とは、冷間における無理嵌めや焼き嵌めは勿論、貫通孔と圧入部分をセレーション、スプライン、多角断面形状或いは異形断面形状に形成して嵌合する場合のすべてを含む概念である。【０００７】  また、本願の請求項２記載の考案は、請求項１記載のソケット体２２が合成樹脂、ゴム等の非金属により形成されていることを特徴とする。
【考案の効果】
【０００８】  上記したように本考案によれば、ケーシングキャップ２が、筒状の先端側キャップ部２１ａと筒状の後端端側筒状キャップ部２１ｂと両キャップ部２１ａ，２１ｂを連通連結する中間鍔部２１ｃとでなる一体のケーシングキャップ本体２１と、先端側キャップ部２１ａ外周に嵌合されると共に支持部材に支持される環状の凹溝２２ａを有するソケット体２２との二部材から構成され、ソケット体２２がケーシングキャップ本体２１の先端側キャップ部２１ａにその先端側から嵌入されてソケット体２２が中間鍔部２１ｃに当接した状態で溶接や圧入固定などの固定手段によりケーシングキャップ本体２１とソケット体２２とが固定されているから、ケーシングキャップ本体２１とソケット体２２との成形や加工が容易で、精度よく形成できる。また、金型を用いてケーシングキャップ本体２１とソケット体２２を成形する場合にも従来のように特別に大型の鍛造機を用いたり或いは熱間鍛造により成形したりする必要がなく、その上、複雑な形状で高価な金型も必要としないので安価であるし、長期にわたって使用することができるので経済的である。【０００９】  また、ソケット体２２を合成樹脂、ゴム等の非金属により形成すれば、金属製のものに比べてより一層成形が簡単容易にできると共に、合成樹脂、ゴム等の非金属のもつ特性により圧入固定が容易でコストも安価にできるのでこのましい。
【図面の簡単な説明】
【００１０】
【図１】本考案に係るガイドパイプ組品の一部切欠正面図である。
【図２】本考案に係るケーシングキャップの一部拡大切欠正面図である。
【図３】セレーションにより結合した別のケーシングキャップの一部切欠正面図である。
【図４】ソケット体を合成樹脂により形成した別のケーシングキャップの一部切欠正面図である。
【図５】従来の説明図である。
【考案を実施するための形態】
【００１１】  以下本考案の実施例を図に基づいて説明する。
【００１２】  まず、図１に示すように、この実施例におけるガイドパイプ組品１は、例えば自動車におけるミッションケースなどの支持部材Ａに長さ方向中間部が支持される筒状のケーシングキャップ２と、ケーシングキャップ２の先端側キャップ部２１ａ内に後端部分が挿嵌されかつ先端側キャップ部２１ａの円周カシメによりカシメ止めされるガイドパイプ３と、ガイドパイプ３とケーシングキャップ２とのカシメ止め部分の外周に被着される防水兼防塵用のゴムシール部材４とを備えている。
【００１３】  そして、本考案では、ケーシングキャップ２が、筒状の先端側キャップ部２１ａと筒状の後端端側筒状キャップ部２１ｂとこれら両キャップ部２１ａ，２１ｂを連通連結する中間鍔部２１ｃとでなる一体のケーシングキャップ本体２１と、先端側キャップ部２１ａの外周に嵌入固定されかつ支持部材Ａに支持されるための環状の凹溝２２ａを有する筒状ソケット体２２との二部材から構成されている。その場合、ソケット体２２がケーシングキャップ本体２１の先端側キャップ部２１ａにその先端側から嵌入され、該ソケット体２２が中間鍔部２１ｃに当接した状態で溶接や圧入固定などの固定手段によりケーシングキャップ本体２１とソケット体２２とが固定されている。
【００１４】  製造に際し、ケーシングキャップ本体２１及び筒状ソケット体２２は、それぞれ横型多段式鍛造機やプレス機などにより高精度に成形されて量産される。そして、例えばケーシングキャップ本体２１と筒状ソケット体２２とが溶接により固定される。その場合、ケーシングキャップ本体２１の中間鍔部２１ｃ前面と筒状ソケット体２２の後端面とが当接する状態で溶接により固定される。
【００１５】  また、溶接以外の圧入固定とは、冷間における無理嵌めや焼き嵌めは勿論、貫通孔と圧入部分を図３に示すようなセレーションＳ１，Ｓ２や、スプライン、多角断面形状或いは異形断面形状に形成して嵌合する場合のすべてを含む概念である。その場合、セレーションＳ１，Ｓ２、スプライン、セレーション、多角断面形状或いは異形断面形状の成形は、横型多段式鍛造機やプレス機などによるケーシングキャップ本体２１や筒状ソケット体２２の成形時に同時に成形するか或いは成形後に後工程で加工すればよい。
【００１６】  また、ケーシングキャップ２の先端側キャップ部２１ａ内にガイドパイプ３の先端を嵌め込んで円周カシメしたとき、ガイドパイプ３は先端側キャップ部２１ａに対してセンターより８度程度上下全周に揺動可能に支持される。
【００１７】  図に示す実施例では、上記ゴムシール部材４による防水兼防塵効果を高めるために、ゴムシール部材４をカシメ部分周囲に被着させるだけでなく、ゴムシール部材４のガイドパイプ３側一端部の外周と、ゴムシール部材４のキャップ部２１ａ側他端部の外周とに、それぞれ金属製のカシメリング５，５ａを差込み、これらカシメリング５，５ａをプレス機の金型（図示せず）で例えば正六角形状に叩いてこのカシメリング５，５ａによりゴムシール部材４の一端をガイドパイプ３側外周に、また他端をキャップ部２１ａ側外周にそれぞれ締め付け、これによりゴムシール部材４による防水兼防塵効果をさらに高めるようにしている。
【００１８】  以上のように本考案では、ガイドパイプ組品１のケーシングキャップ２が、筒状の先端側キャップ部２１ａと筒状の後端端側筒状キャップ部２１ｂとこれら両キャップ部２１ａ，２１ｂを連通連結する中間鍔部２１ｃとでなる一体のケーシングキャップ本体２１と、先端側キャップ部２１ａ外周に嵌合されると共に支持部材Ａに支持される環状の凹溝２２ａを有するソケット体２２との二部材から構成され、ソケット体２２がケーシングキャップ本体２１の先端側キャップ部２１ａにその先端側から嵌入されてソケット体２２が中間鍔部２１ｃに当接した状態でケーシングキャップ本体２１とソケット体２２とが溶接又は圧入固定により固定されているから、ケーシングキャップ本体２１とソケット体２２との成形や加工が容易で、精度よく形成できる。また、金型を用いてケーシングキャップ本体２１とソケット体２２を成形する場合にも従来のように特別に大型の鍛造機を用いたり或いは熱間鍛造により成形したりする必要がなく、その上、複雑な形状で高価な金型も必要としないので安価であるし、金型を長期にわたって使用することができるので経済的である。
【００１９】  上記した実施例では、ソケット体２２を、金属素材を用いて鍛造により成形するものについて説明したけれども、特に限定されるものではなく図４に示すようにソケット体２２を例えば合成樹脂、或いはゴム等の非金属により形成するようにしてもよい。
【００２０】  その場合、ケーシングキャップ本体２１における中間鍔部２１ｃの外径をソケット体２２の外径よりも小径にし、合成樹脂からなるソケット体２２の後端部に中間鍔部２１ｃの外周部に係合可能な係合部２２ｂを一体に形成し、ソケット体２２をケーシングキャップ本体２１の先端側キャップ部２１ａに固定する際、ソケット体２２の係合部２２ｂを、合成樹脂のもつ特性を利用して中間鍔部２１ｃの外周部に被冠して圧入固定するように構成している。
【００２１】  このようにソケット体２２を合成樹脂、ゴム等の非金属により形成すれば、金属製のものに比べてより一層ソケット体２２の成形が簡単容易にできると共に、合成樹脂、ゴム等の非金属のもつ特性により圧入固定が容易でコストも安価にできる。
【００２２】  なお、ゴムシール部材４による防水兼防塵効果を高める構造として、金属製カシメリング５，５ａに代え例えば二巻き又は二巻き程度のコイルばね（図示せず）を用いてもよい。その場合、コイルばねをゴムシール部材４の両端部外周に拡径状態で嵌め込み縮径させるだけの簡単な作業により、ゴムシール部材４の両端部をガイドパイプ３の外周部とキャップ部２１ａの外周部とに迅速容易にかつ確実に締め付けて固定できる。
また、上記した実施例では自動車部品の操作ワイヤー用のガイドパイプ組品１について説明したけれども、特に自動車部品に限定されるものではない。
【符号の説明】
【００２３】  １          ガイドパイプ組品
２          ケーシングキャップ
２１        ケーシングキャップ本体
２１ａ      先端側キャップ部
２１ｂ      後端側キャップ部
２２        ソケット体
２２ａ      凹溝
３          ガイドパイプ
４          ゴムシール部材
５          カシメリング
５ａ        カシメリング
【図１】
0003194247.tif 000003
【図２】
0003194247.tif 000004
【図３】
0003194247.tif 000005
【図４】
0003194247.tif 000006
【図５】
0003194247.tif 000007